(57)【要約】      （修正有）【課題】回転多面鏡を介した対向走査側光学系にフレア光が案内されることを防止した光走査装置を提供する。【解決手段】ロータ２０５と、反射面に入射する第１の光ビームと第１の光ビームが入射する反射面とは異なる反射面に入射する第２の光ビームを反射する回転多面鏡２０３と、第１の光ビームが入射する第一結像レンズ２０６と、第一結像レンズ２０６と対称な位置に配置され第２の光ビームが入射する第一結像レンズ２０９と、回転多面鏡２０３とロータ２０５間に配置された取り付け部材２０４と、ロータ２０５に設けられ、第一結像レンズ２０６により反射された反射光が回転多面鏡２０３とロータ２０５との間を通過して第一結像レンズ２０９に向かわないように遮光すると共に、第一結像レンズ２０９により反射された反射光が回転多面鏡２０３とロータ２０５との間を通過して第一結像レンズ２０６に向かわないように遮光するリブ部２８２を備える。【選択図】図２
2016004126.tif 000002
【特許請求の範囲】
【請求項１】
回転軸に固定され、駆動源により回転するロータと、
複数の反射面を有し、前記回転軸を中心に回転する回転多面鏡であって、前記回転軸を法線とし、かつ前記回転多面鏡を通過する第１の仮想平面と交差する光路をとって前記回転多面鏡の反射面に入射する第１の光ビームと、前記第１の仮想平面と交差する光路をとって前記回転多面鏡の複数の反射面のうち前記第１の光ビームが入射する反射面とは異なる反射面に入射する第２の光ビームと、を反射する回転多面鏡と、
前記回転多面鏡の反射面によって反射された前記第１の光ビームが入射し、前記第１の光ビームを第１の感光体に導く第１のレンズと、
前記回転多面鏡の前記回転軸を通り、前記第１の仮想平面に対して垂直な第２の仮想平面に関して前記第１のレンズと対称な位置に配置され、前記回転多面鏡の反射面によって反射された前記第２の光ビームが入射し、前記第２の光ビームを第２の感光体に導く第２のレンズと、
前記ロータに前記回転多面鏡を取り付けるために、前記回転多面鏡と前記ロータとの間に配置された取り付け部材と、
前記ロータに設けられ、前記回転多面鏡によって偏向された前記第１の光ビームが前記第１のレンズによって反射された前記第１の光ビームの反射光が、前記回転多面鏡と前記ロータとの間隙を通過して前記第２のレンズに向かわないように前記第１の光ビームの反射光を遮光すると共に、前記回転多面鏡によって偏向された前記第２の光ビームが前記第２のレンズによって反射された前記第２の光ビームの反射光が、前記間隙を通過して前記第１のレンズに向かわないように前記第２の光ビームの反射光を遮光する遮光部と、
を備えることを特徴とする光走査装置。
【請求項２】
前記遮光部は、前記ロータの前記回転多面鏡に対向する面に設けられた第１の凸部であり、
前記第１の凸部は、前記ロータの外周に沿って円環状に形成されていることを特徴とする請求項１に記載の光走査装置。
【請求項３】
前記第１の凸部の前記回転多面鏡に対向する先端部は、Ｒ形状を有することを特徴とする請求項２に記載の光走査装置。
【請求項４】
前記第１の凸部の前記先端部の高さは、前記ロータに対向する前記回転多面鏡の面の高さと略同じであることを特徴とする請求項３に記載の光走査装置。
【請求項５】
前記遮光部は、前記ロータの前記回転多面鏡に対向する面に設けられた第２の凸部を有し、
前記第２の凸部は、前記第１の凸部と前記取り付け部材との間に円環状に形成されていることを特徴とする請求項２乃至４のいずれか１項に記載の光走査装置。
【請求項６】
前記第２の凸部の前記回転多面鏡に対向する先端部は、Ｒ形状を有することを特徴とする請求項５に記載の光走査装置。
【請求項７】
前記第２の凸部の前記先端部の高さは、前記ロータに対向する前記回転多面鏡の面の高さと略同じであることを特徴とする請求項６に記載の光走査装置。
【請求項８】
前記遮光部は、前記ロータの外周の前記回転多面鏡に対向する外周部から前記ロータの回転中心の方向に向かう斜面を有する円錐台の形状の凹部を有することを特徴とする請求項１に記載の光走査装置。
【請求項９】
前記凹部の前記回転多面鏡に対向する底面は平面であり、前記平面には前記取り付け部材が設置されることを特徴とする請求項８に記載の光走査装置。
【請求項１０】
前記外周部は、前記ロータの外周方向側にＲ形状を有することを特徴とする請求項８又は９に記載の光走査装置。
【請求項１１】
前記外周部の高さは、前記ロータに対向する前記回転多面鏡の面の高さと略同じであることを特徴とする請求項８乃至１０のいずれか１項に記載の光走査装置。
【発明の詳細な説明】
【技術分野】
【０００１】
本発明は、デジタル複写機やレーザビームプリンタ、ファクシミリ装置等の電子写真方式の画像形成装置に備えられる、光ビームを偏向する光走査装置に関する。
【背景技術】
【０００２】
レーザビームプリンタやデジタル複写機などの電子写真方式の画像形成装置においては、感光体を露光するための光走査装置が備えられている。光走査装置は、半導体レーザから出射される光ビームを回転する回転多面鏡で偏向して感光体上を走査する。これによって感光体上に静電潜像が形成され、この静電潜像にトナーを付着させて現像することによりトナー像が形成され、トナー像を用紙に転写して画像を作成する。
【０００３】
近年は画像形成装置のカラー化が進展し、カラー画像形成装置では、それぞれの色ごとに専用の感光体を備えて各色の画像を中間転写体上に一括して形成する、いわゆるタンデム方式と呼ばれる方式が主流になってきている。更に、このタンデム方式の画像形成装置では、ユニットサイズとコストで有利であることから、１つの回転多面鏡で４色の露光をすべて行う、いわゆる４ｉｎ１構成の光走査装置が広く用いられている。
【０００４】
図５は、従来の一般的な光走査装置の概略構成を示した概略構成図である。なお、図５の詳細な説明は後述する実施例で行う。図５（ａ）は、光走査装置の回転多面鏡２０３の近傍の構成を示した断面図であり、図５（ｂ）は、光走査装置の光学部品の保持構成を示した概略断面図である。図５に示す光走査装置では、各光学部品が回転多面鏡２０３を中心にして、左右対称に配置されている。そのため、第一結像レンズ２０６の入射面で反射されたフレア光Ｆ１が回転多面鏡２０３の上面、下面又はその近傍（例えば、図５（ａ）では下面）を通過し、対向面側の第一結像レンズ２０９、反射ミラー２１６、２１７へと進んでしまうことがある。その結果、他の感光ドラムに光ビームが照射され、濃度変動等の画像不良が発生してしまうという構造上の課題がある。回転多面鏡２０３によって、各光ビームがそれぞれ偏向走査される際に、約１０％以下の光量がレンズの表面で反射されてしまう。そのため、従来はレンズ表面の反射率を抑制するために、レンズのコーティング等の処置が行われてきたが、この手法はコーティング費用を要するが、反射率が０％になる確実な遮光方法ではない。このような課題に対して、例えば特許文献１では、回転多面鏡を駆動する偏向用モータが実装された基板に、走査レンズから反射したフレア光を遮断する遮光板を一体的に設ける提案がなされている。
【先行技術文献】
【特許文献】
【０００５】
【特許文献１】特開２００６−１７８１３０号公報
【発明の概要】
【発明が解決しようとする課題】
【０００６】
上述した特許文献１の提案は、偏向用モータの基板の一部を遮光部材である遮光板として使おうとするものである。更に、特許文献１の光走査装置では、回転多面鏡により偏向された光ビームが入射する走査レンズは、回転多面鏡の片側だけに設けられている。一方、上述した図５に示す光走査装置は、回転多面鏡２０３により偏向された光ビームが入射する第一結像レンズ２０６、２０９が、回転多面鏡２０３の両側に設けられている対向走査の構成を有している。そのため、特許文献１で提案されている構成では、遮光板が設けられていない側の第一結像レンズから反射したフレア光は、ロータの上面（回転多面鏡の下面）で反射され、対向側にすり抜けてしまい、遮光性能を十分に発揮できない。また、特許文献１のように、回転多面鏡の近傍に折り曲げ形状の遮光部材を設けることにより、回転多面鏡の回転による風切り音の増大や、プレス加工による精度の低下等の課題も生じる。
【０００７】
本発明は、このような状況のもとでなされたもので、回転多面鏡を介した対向走査側の光学系にフレア光が案内されることを防止し、遮光性能を向上させることを目的とする。
【課題を解決するための手段】
【０００８】
前述の課題を解決するために、本発明は、以下の構成を備える。
【０００９】
（１）回転軸に固定され、駆動源により回転するロータと、複数の反射面を有し、前記回転軸を中心に回転する回転多面鏡であって、前記回転軸を法線とし、かつ前記回転多面鏡を通過する第１の仮想平面と交差する光路をとって前記回転多面鏡の反射面に入射する第１の光ビームと、前記第１の仮想平面と交差する光路をとって前記回転多面鏡の複数の反射面のうち前記第１の光ビームが入射する反射面とは異なる反射面に入射する第２の光ビームと、を反射する回転多面鏡と、前記回転多面鏡の反射面によって反射された前記第１の光ビームが入射し、前記第１の光ビームを第１の感光体に導く第１のレンズと、前記回転多面鏡の前記回転軸を通り、前記第１の仮想平面に対して垂直な第２の仮想平面に関して前記第１のレンズと対称な位置に配置され、前記回転多面鏡の反射面によって反射された前記第２の光ビームが入射し、前記第２の光ビームを第２の感光体に導く第２のレンズと、前記ロータに前記回転多面鏡を取り付けるために、前記回転多面鏡と前記ロータとの間に配置された取り付け部材と、前記ロータに設けられ、前記回転多面鏡によって偏向された前記第１の光ビームが前記第１のレンズによって反射された前記第１の光ビームの反射光が、前記回転多面鏡と前記ロータとの間隙を通過して前記第２のレンズに向かわないように前記第１の光ビームの反射光を遮光すると共に、前記回転多面鏡によって偏向された前記第２の光ビームが前記第２のレンズによって反射された前記第２の光ビームの反射光が、前記間隙を通過して前記第１のレンズに向かわないように前記第２の光ビームの反射光を遮光する遮光部と、を備えることを特徴とする光走査装置。
【発明の効果】
【００１０】
本発明によれば、回転多面鏡を介した対向走査側の光学系にフレア光が案内されることを防止し、遮光性能を向上させることができる。
【図面の簡単な説明】
【００１１】
【図１】実施例１〜３の画像形成装置、光走査装置の概略構成図
【図２】実施例１の偏向部の構成を説明する概略構成図
【図３】実施例１の偏向部、及び光走査装置の外観斜視図
【図４】実施例２、３の偏向部の構成を説明する概略構成図
【図５】従来例の光走査装置の構成を示す概略構成図
【発明を実施するための形態】
【００１２】
以下、本発明を実施するための形態を、実施例により詳しく説明する。
【実施例１】
【００１３】
［画像形成装置］
実施例１の画像形成装置の構成について、以下に説明する。図１（ａ）は、本実施例のタンデム型のカラーレーザビームプリンタの全体構成を示す概略構成図である。このレーザビームプリンタ（以下、単にプリンタという）はイエロー（Ｙ）、マゼンタ（Ｍ）、シアン（Ｃ）及びブラック（Ｂｋ）の色毎にトナー像を形成する４基の作像エンジン１０Ｙ、１０Ｍ、１０Ｃ、１０Ｂｋ（一点鎖線で図示）を備える。また、プリンタは、各作像エンジン１０Ｙ、１０Ｍ、１０Ｃ、１０Ｂｋからトナー像が転写される中間転写ベルト２０を備え、中間転写ベルト２０に多重転写されたトナー像を記録媒体である記録シートＰに転写してカラー画像を形成するように構成されている。以降、各色を表す符号Ｙ、Ｍ、Ｃ、Ｂｋは、必要な場合を除き省略する。なお、以下の説明において、後述する回転多面鏡２０３の回転軸方向をＺ軸方向、光ビームの走査方向である主走査方向又は反射ミラーの長手方向をＹ軸方向、Ｙ軸及びＺ軸に垂直な方向をＸ軸方向とする。
【００１４】
中間転写ベルト２０は、無端状に形成され、一対のベルト搬送ローラ２１、２２にかけ回されており、矢印Ｃ方向に回転動作しながら各色の作像エンジン１０で形成されたトナー像が転写されるように構成されている。また、中間転写ベルト２０を挟んで一方のベルト搬送ローラ２１と対向する位置には二次転写ローラ６５が配設されている。記録シートＰは、互いに圧接する二次転写ローラ６５と中間転写ベルト２０との間に挿通されて、中間転写ベルト２０からトナー像が転写される。中間転写ベルト２０の下側には前述した４基の作像エンジン１０Ｙ、１０Ｍ、１０Ｃ、１０Ｂｋが並列的に配設されており、各色の画像情報に応じて形成したトナー像を中間転写ベルト２０に転写するようになっている（以下、一次転写という）。これら４基の作像エンジン１０は、中間転写ベルト２０の回動方向（矢印Ｃ方向）に沿って、イエロー用の作像エンジン１０Ｙ、マゼンタ用の作像エンジン１０Ｍ、シアン用の作像エンジン１０Ｃ及びブラック用の作像エンジン１０Ｂｋの順に配設されている。
【００１５】
また、作像エンジン１０の下方には、各作像エンジン１０に具備された感光体である感光ドラム５０を画像情報に応じて露光する光走査装置４０が配設されている。なお、図１（ａ）では光走査装置４０の詳細な図示及び説明は省略し、図１（ｂ）を用いて後述する。光走査装置４０は全ての作像エンジン１０Ｙ、１０Ｍ、１０Ｃ、１０Ｂｋに共用されており、各色の画像情報に応じて変調されたレーザビームを射出する図示しない４基の半導体レーザを備えている。また、光走査装置４０は、各感光ドラム５０に対応する光ビームが感光ドラム５０の軸方向（Ｙ軸方向）に沿って走査するように各光ビームを偏向する回転多面鏡２０３及び回転多面鏡２０３を回転させる駆動源であるポリゴンモータ２０３ｍを備えている。回転多面鏡２０３によって偏向された各光ビームは、光走査装置４０内に設置された光学部材に案内されて感光ドラム５０上に導かれ、各感光ドラム５０を露光する。
【００１６】
各作像エンジン１０は、感光ドラム５０と、感光ドラム５０を一様な背景部電位にまで帯電させる帯電ローラ１２と、を備える。また、各作像エンジン１０は、光ビームによって露光されることで感光ドラム５０上に形成された静電潜像を現像してトナー像を形成する現像器１３を備えている。現像器１３は、感光ドラム５０上に各色の画像情報に応じたトナー像を形成する。
【００１７】
各作像エンジン１０の感光ドラム５０に対向する位置には、中間転写ベルト２０を挟むようにして一次転写ローラ１５が配設されている。一次転写ローラ１５は、所定の転写電圧が印加されることにより、感光ドラム５０上のトナー像が中間転写ベルト２０に転写される。
【００１８】
一方、記録シートＰはプリンタ筐体１の下部に収納される給紙カセット２からプリンタの内部、具体的には中間転写ベルト２０と二次転写ローラ６５とが当接する二次転写位置へ供給される。給紙カセット２の上部には、給紙カセット２内に収容された記録シートＰを引き出すためのピックアップローラ２４及び給紙ローラ２５が並設されている。また、給紙ローラ２５と対向する位置には、記録シートＰの重送を防止するリタードローラ２６が配設されている。プリンタの内部における記録シートＰの搬送経路２７は、プリンタ筐体１の右側面に沿って略垂直に設けられている。プリンタ筐体１の底部に位置する給紙カセット２から引き出された記録シートＰは、搬送経路２７を上昇し、二次転写位置に対する記録シートＰの突入タイミングを制御するレジストレーションローラ２９へと送られる。その後、記録シートＰは、二次転写位置においてトナー像が転写された後、搬送方向の下流側に設けられた定着器３（破線で図示）へと送られる。そして、定着器３によってトナー像が定着された記録シートＰは、排出ローラ２８を経て、プリンタ筐体１の上部に設けられた排紙トレイ１ａに排出される。
【００１９】
このように構成されたカラーレーザビームプリンタによるカラー画像の形成に当たっては、まず、各色の画像情報に応じて光走査装置４０が各作像エンジン１０の感光ドラム５０を所定のタイミングで露光する。これによって各作像エンジン１０の感光ドラム５０上には画像情報に応じた潜像画像が形成される。ここで、良質な画質を得るためには、光走査装置４０によって形成される潜像画像が感光ドラム５０上の所定の位置に精度よく再現され、かつ、潜像画像を形成するための光ビームの光量は常に安定して所望の値を出せるものでなければならない。
【００２０】
［光走査装置の概要］
次に、光走査装置４０について説明する。図１（ｂ）は、図１（ａ）の光走査装置４０の断面図である。なお、図１（ｂ）は、図１（ａ）に示す光走査装置４０を図中背後からから手前方向に見た場合の断面図である。そして、光走査装置４０の光学箱２０１の外壁（図１（ｂ）の回転多面鏡２０３の背後側）には、不図示の光源ユニット２０２Ｙ、２０２Ｍ、２０２Ｃ、２０２Ｂｋが取り付けられている。なお、後述する図３（ｂ）では光源ユニット２０２を表示している。光源ユニット２０２Ｙは、感光ドラム５０Ｙを露光する光ビームＬＹを出射し、光源ユニット２０２Ｍは、感光ドラム５０Ｍを露光する光ビームＬＭを出射する。また、光源ユニット２０２Ｃは、感光ドラム５０Ｃを露光する光ビームＬＣを出射し、光源ユニット２０２Ｂｋは、感光ドラム５０Ｂｋを露光する光ビームＬＢｋを出射する。
【００２１】
光源ユニット２０２Ｙ、２０２Ｍ、２０２Ｃ、２０２Ｂｋは、図１（ｂ）の回転多面鏡２０３の手前の光学箱２０１の外壁に、互いに近接して配置されている。ここで、回転多面鏡２０３の回転軸（図中、点線）を法線として回転多面鏡２０３を横切る平面を第１の仮想平面と定義する。光源ユニット２０２Ｙから出射される光ビームＬＹ及び光源ユニット２０２Ｂｋから出射される光ビームＬＢｋは、第１の仮想平面に対して重力方向上側（＋Ｚ軸方向）から斜めに入射する（交差する）光路をとって回転多面鏡２０３の反射面に入射する。なお、斜めに入射する光路の角度を斜め入射角度という。一方、光源ユニット２０２Ｃから出射される光ビームＬＣ及び光源ユニット２０２Ｍから出射される光ビームＬＭは、上述した第１の仮想平面に対して重力方向下側（−Ｚ軸方向）から斜めに入射する光路をとって回転多面鏡２０３の反射面に入射する。図１（ｂ）に示すように、光学箱２０１の中央部には複数の反射面を備える回転多面鏡２０３が設置されている。
【００２２】
光源ユニット２０２Ｙから出射された光ビームＬＹは、回転多面鏡２０３の反射面に入射する。第１の光ビームである光ビームＬＹは、回転多面鏡２０３の反射面によって、図１（ｂ）に示すＡ側に偏向（反射）される。光源ユニット２０２Ｍから出射された光ビームＬＭは、光ビームＬＹが入射する回転多面鏡２０３の反射面と同一の反射面に入射する。第１の光ビームである光ビームＬＭは、回転多面鏡２０３の反射面によって、光ビームＬＹと同一側（Ａ側）に偏向される。
【００２３】
一方、光源ユニット２０２Ｂｋから出射された光ビームＬＢｋは、光ビームＬＹ及びＬＭが入射する反射面とは異なる反射面に入射する。第２の光ビームである光ビームＬＢｋは、回転多面鏡２０３の反射面によって、図１（ｂ）に示すＢ側に偏向される。光源ユニット２０２Ｃから出射された光ビームＬＣは、光ビームＬＢｋが入射する回転多面鏡２０３の反射面と同一の反射面に入射する。第２の光ビームである光ビームＬＣは、回転多面鏡２０３の反射面によって光ビームＬＢｋと同一側（Ｂ側）に偏向される。
【００２４】
回転多面鏡２０３によって偏向された光ビームＬＹ及びＬＭは、＋Ｙ方向に移動する光ビームとなる。即ち、回転する回転多面鏡２０３によって偏向されることによって、光ビームＬＹは＋Ｙ方向に感光ドラム５０Ｙを走査する光ビームとなり、光ビームＬＭは感光ドラム５０Ｍを＋Ｙ方向に走査する光ビームとなる。
【００２５】
一方、回転多面鏡２０３によって偏向された光ビームＬＢｋ及びＬＣは、−Ｙ方向に移動する光ビームとなる。即ち、回転する回転多面鏡２０３によって偏向されることによって、光ビームＬＢｋは−Ｙ方向に感光ドラム５０Ｂｋを走査する光ビームとなり、光ビームＬＣは感光ドラム５０Ｃを−Ｙ方向に走査する光ビームとなる。
【００２６】
続いて、図１（ｂ）を用いて回転多面鏡２０３によって偏向された光ビームＬＹ、ＬＭ、ＬＣ、ＬＢｋの光路について説明する。図１（ｂ）に示すように、光学箱２０１の内部には、回転多面鏡２０３、レンズ２０６、２０７、２０８、２０９、２１０、２１１、反射ミラー２１２、２１３、２１４、２１５、２１６、２１７等の光学部材が収容される。なお、レンズ２０６、２０９は、第一結像レンズ２０６、２０９ともいう。また、レンズ２０７、２０８、２１０、２１１は、第二結像レンズともいう。光学箱２０１の上部の開放面には、更に、回転多面鏡２０３、上述した各レンズ、及び各反射ミラーを防塵するためのカバー２１８が取り付けられる。
【００２７】
回転多面鏡２０３によって偏向された光ビームＬＹは、レンズ２０６及びレンズ２０７を通過した後、反射ミラー２１２に入射する。反射ミラー２１２は、入射した光ビームＬＹを感光ドラム５０Ｙに向かって反射する。カバー２１８には、反射ミラー２１２が反射した光ビームＬＹを通過させる開口２１９が形成されている。開口２１９は、光ビームＬＹを通過させる透明な透明窓である防塵窓２２３によって閉塞されている。防塵窓２２３を通過した光ビームＬＹは、感光ドラム５０Ｙ上に結像する。
【００２８】
回転多面鏡２０３によって偏向された光ビームＬＭは、レンズ２０６を通過した後、反射ミラー２１３に入射する。反射ミラー２１３は、入射した光ビームＬＭを反射ミラー２１４に向かって反射する。反射ミラー２１３によって反射された光ビームＬＭは、レンズ２０８を通過して反射ミラー２１４に入射する。反射ミラー２１４は、入射した光ビームＬＭを感光ドラム５０Ｍに向かって反射する。カバー２１８には、反射ミラー２１４が反射した光ビームＬＭを通過させる開口２２０が形成されている。その開口２２０は、光ビームＬＭを通過させる透明の防塵窓２２４によって閉塞されている。防塵窓２２４を通過した光ビームＬＭは、感光ドラム５０Ｍに結像する。
【００２９】
回転多面鏡２０３によって偏向された光ビームＬＢｋは、レンズ２０９及びレンズ２１０を通過した後、反射ミラー２１５に入射する。反射ミラー２１５は、入射した光ビームＬＢｋを感光ドラム５０Ｂｋに向かって反射する。カバー２１８には、反射ミラー２１５が反射した光ビームＬＢｋを通過させる開口２２２が形成されている。開口２２２は、光ビームＬＢｋを通過させる透明の防塵窓２２６によって閉塞されている。防塵窓２２６を通過した光ビームＬＢｋは、感光ドラム５０Ｂｋ上に結像する。
【００３０】
回転多面鏡２０３によって偏向された光ビームＬＣは、レンズ２０９を通過した後、反射ミラー２１６に入射する。反射ミラー２１６は、入射した光ビームＬＣを反射ミラー２１７に向かって反射する。反射ミラー２１６によって反射された光ビームＬＣは、レンズ２１１を通過して反射ミラー２１７に入射する。反射ミラー２１７は、入射した光ビームＬＣを感光ドラム５０Ｃに向かって反射する。カバー２１８には、反射ミラー２１７が反射した光ビームＬＣを通過させる開口２２１が形成されている。開口２２１は、光ビームＬＣを通過させる透明の防塵窓２２５によって閉塞されている。防塵窓２２５を通過した光ビームＬＣは、感光ドラム５０Ｃ上に結像する。
【００３１】
［フレア光の発生］
図５を参照して、本実施例で遮蔽しようとするフレア光について説明する。図５（ａ）は、従来例の光走査装置４０の、回転多面鏡２０３等を含む偏向部の近傍の構成を示した断面図であり、図５（ｂ）は、従来例の光走査装置４０の光学部品の保持構成を示した概略断面図である。図５（ｂ）に示す光走査装置４０は、各光学部品が回転多面鏡２０３の回転軸２２７に対して、図中、左右対称に配置された対向走査の構成を有している。例えば、第２のレンズである第一結像レンズ２０９は、回転多面鏡２０３の回転軸２２７を通り、前述した第１の仮想平面に対して垂直な第２の仮想平面に関して、第１のレンズである第一結像レンズ２０６と対称な位置に配置されている。
【００３２】
図５（ａ）において、偏向部は、回転多面鏡２０３、ポリゴンモータ２０３ｍ、ロータ２０５、取り付け部材２０４等から構成されている。回転多面鏡２０３は、取り付け部材２０４を介してロータ２０５に固定されている。また、ポリゴンモータ２０３ｍの構成品であるロータ２０５は、ポリゴンモータ２０３ｍの回転軸２２７に固定されている。ポリゴンモータ２０３ｍが回転駆動されることにより、ロータ２０５は回転軸２２７を中心にして回転する。ロータ２０５の回転により、回転多面鏡２０３は一定速度で回転し、光源ユニット２０２（図３（ｂ）参照）から出射された光ビームを第一結像レンズ２０６，２０９の方向に偏向する。
【００３３】
図５（ａ）において、光源ユニット２０２から回転多面鏡２０３に一定角度で斜め入射した入射光は、回転多面鏡２０３の反射面で反射され、反射光Ｘ１、Ｘ２となる。反射光Ｘ１、Ｘ２は第一結像レンズ２０６を透過して、第二結像レンズへと向かうが、反射光Ｘ２の一部は、第一結像レンズ２０６の反射光Ｘ２の進行方向下流の表面（第二結像レンズ側の表面）で反射され、フレア光Ｆ１になる。フレア光Ｆ１は、再び回転多面鏡２０３方向に進むが、斜め入射角度があるため、回転多面鏡２０３の反射面（偏向面）には戻らず、回転多面鏡２０３の下面に対向する、ポリゴンモータ２０３ｍのロータ２０５の上面方向へ向かう。
【００３４】
ロータ２０５は、一般的に鋼鈑のプレス成型品で形成されており、例えば亜鉛メッキ鋼鈑の場合、レーザ光である光ビームに対する反射率は約６０％である。また、ロータ２０５上面（上部）には回転多面鏡２０３を精度良く設置する必要がある。ところが、プレス部材であるロータ２０５の工作精度では、回転多面鏡２０３の設置精度を満たすには不十分である。そのため、回転多面鏡２０３を設置するのに必要な精度を満たすために、アルミ等を機械加工した取り付け部材２０４を、回転多面鏡２０３に対向するロータ２０５の上面に取り付けた構成が一般的である。そして、回転多面鏡２０３は、取り付け部材２０４を介して、ロータ２０５上に固定される。取り付け部材２０４の高さ（図５（ａ）における上下方向の厚さ）は２ｍｍ〜５ｍｍ程度である。取り付け部材２０４を介して回転多面鏡２０３とロータ２０５を固定するため、回転多面鏡２０３とロータ２０５との間には、取り付け部材２０４の厚さ分の隙間が生じる。また、回転多面鏡２０３をロータ２０５に固定する際も、回転多面鏡２０３を変形させないように、不図示の弾性部材を用いて取り付け部材２０４方向に均等に加圧する取り付け方法が採用されている。
【００３５】
フレア光Ｆ１は、取り付け部材２０４により生じた回転多面鏡２０３とロータ２０５との間隙を進み、ロータ２０５の上面で反射する。ロータ２０５の上面は、対向する回転多面鏡２０３の下面と平行な平面である。その結果、フレア光Ｆ１は、回転多面鏡２０３とロータ２０５との隙間を通過し、回転多面鏡２０３を介して、第一結像レンズ２０６と対向側の第一結像レンズ２０９へ進むフレア光Ｆ２となる。
【００３６】
図５（ｂ）は、図５（ａ）の図示範囲を広げたフレア光の説明図である。図５（ｂ）において、フレア光Ｆ２は、反射ミラー２１６により反射され、第二結像レンズ２１１を透過して、反射ミラー２１７へ進むフレア光Ｆ３となる。そして、フレア光Ｆ３は、反射ミラー２１７により反射され、防塵ガラスを通過したフレア光Ｆ４として、反射光Ｘ２が本来走査する感光ドラムとは異なる感光ドラム５０に向かうフレア光となる。その結果、本来走査されるべき感光ドラムとは異なる他の感光ドラムに光ビーム（フレア光）が照射され、濃度変動等の画像不良が発生してしまう。なお、上述したフレア光は、第一結像レンズ２０６で反射されて第一結像レンズ２０９に向かうフレア光について説明した。本実施例の光走査装置４０は対向走査の構成を有しているため、第一結像レンズ２０９で反射されて第一結像レンズ２０６に向かうフレア光についても同様のことが成り立つ。
【００３７】
［偏向部の構成］
図２は、本実施例の光走査装置４０の回転多面鏡２０３とポリゴンモータ２０３ｍ等で構成される偏向部の構成を示す断面図である。なお、図２において、上述した図５（ａ）と同じ構成部材については、同一の符号を付している。
【００３８】
図２に示す偏向部において、上述した図５（ａ）と異なるのは、ロータ２０５の形状である。即ち、取り付け部材２０４が設置されるロータ２０５の上部は、図５（ａ）では、平らな面となっていた。一方、本実施例の図２では、ロータ２０５の上部には、外周部分がロータ２０５上面の平らな面から突出したリブ形状の遮光部であるリブ部２８２（第１の凸部）が円環状に設けられている。そして、リブ部２８２がロータ２０５の外周に沿って凸部を形成しているため、ロータ２０５の上部の回転軸側に形成された凹部は、円柱形状を有している。また、リブ部２８２の高さは、取り付け部材２０４と略同等の高さである。更に、リブ部２８２の高さは、回転多面鏡２０３の下面とは接触しないが、略同一の高さである。また、リブ部２８２の先端部はＲ形状（ラウンド形状）を有している。これにより、リブ部２８２に反射したフレア光は第一結像レンズ２０６側の方向に反射され、フレア光が第一結像レンズ２０９の方向に進むことを防止している。
【００３９】
ここで、図２及び後述する図３（ａ）に示すように、ロータ２０５の上面は円形状を有しており、取り付け部材２０４も回転軸方向（Ｚ軸方向）に円柱形状を有している。ロータ２０５の上面の外径は、取り付け部材２０４の外径よりも大きい。更に、ロータ２０５の上面の外径は、回転多面鏡２０３の回転軸の上面の対角線方向の長さ、即ち回転している回転多面鏡２０３の上面の外接円の径よりも大きい。また、取り付け部材２０４の外径は、回転している回転多面鏡２０３の上面の外接円の径よりも小さい。
【００４０】
本実施例のロータ２０５は、板金材をプレス加工したものであり、突起リブ形状のリブ部２８２もプレス成形で形成されている。また、ロータ２０５をダイカスト或いはモールド成形によって形成する場合には、型形状で突起リブ形状を有するリブ部２８２を形成するのが望ましい。
【００４１】
図２に示すように、前述した第一結像レンズ２０６からの反射光であるフレア光Ｆ１は、リブ部２８２で遮蔽されるため、第一結像レンズ２０６の対向側の光学系である第一結像レンズ２０９に向かうフレア光とはならない。また、リブ部２８２で遮蔽され、反射されたフレア光は、斜め入射角度によって再度、第一結像レンズ２０６方向に進む。ところが、第一結像レンズ２０６方向に進むフレア光は、斜め入射角度の関係で第一結像レンズ２０６の外側に向かうため、有効光路（光ビームが感光ドラムに到達する光路の範囲）内のフレア光とはならない。なお、上述した説明は、第一結像レンズ２０６で反射されて第一結像レンズ２０９に向かうフレア光に関するものである。本実施例の光走査装置４０は対向走査の構成を有しているため、第一結像レンズ２０９で反射されて第一結像レンズ２０６に向かうフレア光についても同様のことが成り立つ。
【００４２】
図３（ａ）は、本実施例の偏向部の外観の斜視図である。図３（ａ）に示すように、ポリゴンモータ２０３ｍのロータ２０５や回転多面鏡２０３は、ポリゴンモータ駆動基板２８７に実装されている。更にポリゴンモータ駆動基板２８７には、ポリゴンモータ２０３ｍの回転制御を行う制御ＩＣ等が実装されている。上述したように、ロータ２０５の上面には、リブ部２８２が円環状に形成されている。また、本実施例の回転多面鏡２０３は、光源ユニット２０２からの光ビームを偏向するために、４つの反射面を有していることがわかる。
【００４３】
図３（ｂ）は、図１（ｂ）に示す光走査装置４０のカバー２１８を外した外観を示す斜視図である。回転多面鏡２０３を実装したポリゴンモータ駆動基板２８７が光走査装置４０の光学箱２０１の中央に設置され、光源ユニット２０２から出射された光ビームは回転多面鏡２０３の反射面により偏向され、第一結像レンズ２０６、２０９へと案内される。
【００４４】
上述したように、本実施例は、ポリゴンモータ２０３ｍのロータ２０５の回転多面鏡２０３との対向面に凸形状のリブ部２８２を設け、フレア光に対する遮光壁とする。これにより、第一結像レンズ２０６の表面反射光が、ポリゴンモータ２０３ｍのロータ２０５と回転多面鏡２０３との隙間をすり抜けて、対向走査側の光学系に対してフレア光となることを防止することができる。ポリゴンモータ２０３ｍのロータ２０５の形状で遮蔽壁を形成するため、遮蔽壁は回転多面鏡２０３と一体となって回転することになる。そのため、従来例のようにポリゴンモータの制御基板（静止部材）に遮蔽壁を設けた場合のように、回転多面鏡の回転による風切り音の増大に伴う騒音増大等の課題を生じることなく、フレア光を防止することができる。
【００４５】
以上説明したように、本実施例によれば、回転多面鏡を介した対向走査側の光学系にフレア光が案内されることを防止し、遮光性能を向上させることができる。
【実施例２】
【００４６】
実施例１では、ポリゴンモータのロータ上面の外周部に設けた突起リブ形状の遮光部について説明した。実施例２では、ロータ上面の突起リブ形状を増設した遮光部について説明する。
【００４７】
［偏向部の構成］
図４（ａ）は、本実施例の光走査装置４０の回転多面鏡２０３とポリゴンモータ２０３ｍ等で構成される偏向部の構成を示す断面図である。なお、図４（ａ）において、実施例１と同じ構成部材については、同一の符号を付している。図４（ａ）に示す偏向部において、上述した実施例１と異なるのは、ロータ２０５上に２つのリブ部２８３、２８４が設けられている点である。第１の凸部であるリブ部２８３は、実施例１の図２に示すリブ部２８２と同様の構成である。本実施例では、リブ部２８３の内側で、ロータ２０５の上面に取り付けられた取り付け部材２０４と隣接する位置に、リブ部２８３と同心円状となる円環状の第２の凸部であるリブ部２８４が設けられている。即ち、ロータ２０５の上部は、ロータ２０５の中心部に設けられた円柱形状の凹部と、リブ部２８３とリブ部２８４との間に設けられた円環形状の凹部を有している。リブ部２８３、２８４も、実施例１のリブ部２８２と同様の突起リブ形状を有し、その先端部はＲ形状（ラウンド形状）となっている。また、リブ部２８３の高さは、取り付け部材２０４と略同等の高さである。更に、リブ部２８３の高さは、回転多面鏡２０３の下面とは接触しないが、略同一の高さである。リブ部２８４の高さについても、リブ部２８３と同等の高さであり、更に回転多面鏡２０３の下面とは接触しないが、ほぼ同一の高さである。
【００４８】
２つのリブ部２８３、２８４を設けることにより、乱反射等で外側に設けられたリブ部２８３によって遮蔽できない角度で入射するフレア光がある場合でも、内側に設けられたリブ部２８４により、更にフレア光は遮蔽される。その結果、フレア光が第一結像レンズ２０６の対向側の光学系である第一結像レンズ２０９に向かうフレア光とはならず、実施例１よりも、更に遮蔽効果を向上させることができる。なお、リブ部２８４は、図４（ａ）では、取り付け部材２０４と隣接する位置に設けられているが、この位置に限定されるものではなく、リブ部２８３と取り付け部材２０４との間に設けられていればよい。なお、本実施例の光走査装置４０は対向走査の構成を有しているため、第一結像レンズ２０９で反射されて第一結像レンズ２０６に向かうフレア光についても上述した遮蔽効果を奏する。
【００４９】
以上説明したように、本実施例によれば、回転多面鏡を介した対向走査側の光学系にフレア光が案内されることを防止し、遮光性能を向上させることができる。
【実施例３】
【００５０】
実施例１では、ポリゴンモータのロータに設けたリブ部の内側のロータ上面は、対向する回転多面鏡と平行な平面であった。実施例３では、リブ部の内側のロータ上面が対向する回転多面鏡とは平行ではない斜面を有する遮光部について説明する。
【００５１】
［偏向部の構成］
図４（ｂ）は、本実施例の光走査装置４０の回転多面鏡２０３とポリゴンモータ２０３ｍ等で構成される偏向部の構成を示す断面図である。なお、図４（ｂ）において、実施例１と同じ構成部材については、同一の符号を付している。図４（ｂ）に示す偏向部において、上述した実施例１と異なるのは、ロータ２０５の上面とロータ２０５の外周縁とが接する外周部２８５からロータ２０５の回転中心の方向に向かって、斜面２８６が形成されている点である。ロータ２０５の上面において、取り付け部材２０４が取り付けられる箇所は回転多面鏡２０３の下面と平行な平面となっており、一方、ロータ２０５の外周部２８５から取り付け部材２０４に向かう面は、斜面２８６となっている。即ち、ロータ２０５の上面に形成された凹部は、円錐を底面に平行な平面で切断し、小円錐の部分を除いた立体図形である円錐台の形状を有している。
【００５２】
取り付け部材２０４が取り付けられたロータ２０５の上面が回転多面鏡２０３の下面から最も離れており、ロータ２０５の外周部２８５は、取り付け部材２０４と略同等の高さ、即ちロータ２０５と対向する回転多面鏡２０３の下面と略同じ高さである。また、外周部２８５のロータ２０５の外周方向側は、Ｒ形状を有している。この構成により、乱反射等で外周部２８５のリブ形状によって遮蔽できない角度で入射するフレア光がある場合でも、斜面２８６によって反射されたフレア光の反射方向を、感光ドラムに到達する光路の範囲外とするように、フレア光を誘導する効果を奏する。また、ロータ２０５をプレス成型する場合は、上面の形状が円錐形状であるため、成形しやすいという効果も有する。
【００５３】
以上説明したように、本実施例によれば、回転多面鏡を介した対向走査側の光学系にフレア光が案内されることを防止し、遮光性能を向上させることができる。
【符号の説明】
【００５４】
２０３    回転多面鏡
２０４    取り付け部材
２０５    ロータ
２０６    第一結像レンズ
２０９    第一結像レンズ
２８２    リブ部
【図１】
2016004126.tif 000003
【図２】
2016004126.tif 000004
【図３】
2016004126.tif 000005
【図４】
2016004126.tif 000006
【図５】
2016004126.tif 000007